(57)【要約】【課題】無線の受信電界強度を適切に報知できるスピーカ装置の提供。【解決手段】スピーカ装置３Ａは、再生装置２から送信される無線を受信アンテナＡｊで受信して、ＲＦ受信部で無線の受信電界強度に対応するアナログ電界強度信号を発光制御手段へ出力する。そして、発光制御手段は、アナログ電界強度信号に基づいて、ＬＥＤ３２Ａの動作状態を無線の受信電界強度に応じて連続的に変化する状態で制御する。このため、ＬＥＤ３２Ａの動作状態を無線の受信電界強度に応じて連続的に変化させるので、受信電界強度の変化量が小さい場合であっても、この小さい変化に応じた状態でＬＥＤ３２Ａを動作させることができ、利用者に受信電界強度を適切に認識させることができる。【選択図】図１
2008131142.tif 000002
【特許請求の範囲】
【請求項１】
無線の受信電界強度を報知手段で報知させる無線強度報知制御装置であって、
前記無線を受信する受信アンテナに接続され、この受信アンテナで受信した前記無線の受信電界強度に対応するアナログ電界強度信号を出力するアナログ電界強度信号出力手段と
このアナログ電界強度信号出力手段から出力される前記アナログ電界強度信号に基づいて、前記報知手段の動作状態を前記受信電界強度に対応する状態で連続的に変化させる報知制御手段と、
を備えたことを特徴とする無線強度報知制御装置。
【請求項２】
請求項１に記載の無線強度報知制御装置において、
前記報知手段は、光を発する発光手段を備え、
前記報知制御手段は、前記アナログ電界強度信号に基づいて、前記発光手段の発光状態を前記受信電界強度に対応する状態で連続的に変化させる発光制御手段を備えた
ことを特徴とする無線強度報知制御装置。
【請求項３】
請求項２に記載の無線強度報知制御装置において、
前記発光制御手段は、前記発光手段の発光強度を前記受信電界強度に対応する状態で連続的に変化させる
ことを特徴とする無線強度報知制御装置。
【請求項４】
請求項３に記載の無線強度報知制御装置において、
前記発光制御手段は、前記アナログ電界強度信号の電圧に対応する電流を前記発光手段で流す定電流回路を備えた
ことを特徴とする無線強度報知制御装置。
【請求項５】
請求項２に記載の無線強度報知制御装置において、
前記発光制御手段は、前記発光手段の点滅間隔を前記受信電界強度に対応する状態で連続的に変化させる
ことを特徴とする無線強度報知制御装置。
【請求項６】
請求項２から請求項５のいずれかに記載の無線強度報知制御装置において、
前記発光手段は、ＬＥＤである
ことを特徴とする無線強度報知制御装置。
【請求項７】
請求項１から請求項６のいずれかに記載の無線強度報知制御装置において、
前記報知手段は、音を発する発音手段を備え、
前記報知制御手段は、前記アナログ電界強度信号に基づいて、前記発音手段の発音状態を前記受信電界強度に対応する状態で連続的に変化させる発音制御手段を備えた
ことを特徴とする無線強度報知制御装置。
【請求項８】
請求項７に記載の無線強度報知制御装置において、
前記発音制御手段は、前記発音手段の発音間隔を前記受信電界強度に対応する状態で連続的に変化させる
ことを特徴とする無線強度報知制御装置。
【請求項９】
請求項７に記載の無線強度報知制御装置において、
前記発音制御手段は、前記発音手段で発音される音の周波数を前記受信電界強度に対応する状態で連続的に変化させる
ことを特徴とする無線強度報知制御装置。
【請求項１０】
請求項１から請求項９のいずれかに記載の無線強度報知制御装置において、
前記報知制御手段は、１個の前記報知手段の動作状態を前記受信電界強度に対応する状態で連続的に変化させる
ことを特徴とする無線強度報知制御装置。
【請求項１１】
振動板を有し、無線を利用して音声データを送信する音声データ送信装置からの前記無線を受信して、前記振動板を振動させることにより前記音声データに対応する音を発するスピーカ本体と、
報知手段と、
前記音声データ送信装置からの前記無線の受信電界強度を前記報知手段で報知させる請求項１から請求項１０のいずれかに記載の無線強度報知制御装置と、
を備えたことを特徴とするスピーカ装置。
【発明の詳細な説明】
【技術分野】
【０００１】
本発明は、無線の受信電界強度を報知手段で報知させる無線強度報知制御装置及びスピーカ装置に関する。
【背景技術】
【０００２】
従来、無線の受信電界強度を、ＬＥＤの動作を制御することにより報知する構成が知られている（例えば、特許文献１及び特許文献２参照）。
【０００３】
特許文献１に記載のものは、アンテナから得る受信信号の受信電界強度の信号が入力されると、信号入力レベルが４０ｄＢ以上か、３０ｄＢ以上か、受信可能なレベルかに応じて区分して、この区分に応じて、ＬＥＤの点灯状態を制御する。
特許文献２に記載のものは、受信電波の強度が入力されると、その強度の値と、あらかじめ設定されている閾値との比較によりレベル付けを行い、このレベルに応じてＬＥＤの発光状態を変化させる。
【０００４】
【特許文献１】特開２００１−１６０８４９号公報
【特許文献２】特開２００４−１０４６３０号公報
【発明の開示】
【発明が解決しようとする課題】
【０００５】
しかしながら、特許文献１，２に記載のような構成では、受信電界強度を段階的なレベルに区分して、このレベルに基づいてＬＥＤの点灯状態を制御するため、例えば受信電界強度の変化量が小さい場合、受信電界強度が変化したにもかかわらず、レベルが変化したと判定されずにＬＥＤの点灯状態が変化しないおそれがある。このため、利用者に、受信電界強度を適切に認識させることができないおそれがある。
【０００６】
本発明は、無線の受信電界強度を適切に報知可能な無線強度報知制御装置及びスピーカ装置を提供することを１つの目的とする。
【課題を解決するための手段】
【０００７】
請求項１に記載の発明は、無線の受信電界強度を報知手段で報知させる無線強度報知制御装置であって、前記無線を受信する受信アンテナに接続され、この受信アンテナで受信した前記無線の受信電界強度に対応するアナログ電界強度信号を出力するアナログ電界強度信号出力手段とこのアナログ電界強度信号出力手段から出力される前記アナログ電界強度信号に基づいて、前記報知手段の動作状態を前記受信電界強度に対応する状態で連続的に変化させる報知制御手段と、を備えたことを特徴とする無線強度報知制御装置である。
【０００８】
請求項１１に記載の発明は、振動板を有し、無線を利用して音声データを送信する音声データ送信装置からの前記無線を受信して、前記振動板を振動させることにより前記音声データに対応する音を発するスピーカ本体と、報知手段と、前記音声データ送信装置からの前記無線の受信電界強度を前記報知手段で報知させる請求項１から請求項１０のいずれかに記載の無線強度報知制御装置と、を備えたことを特徴とするスピーカ装置である。
【発明を実施するための最良の形態】
【０００９】
［第１実施形態］
以下、本発明の第１実施形態について図面に基づいて説明する。なお、この第１実施形態及び後述する第２〜第４実施形態では、本発明のスピーカ装置を備えたオーディオシステムを例示して説明する。
図１は、本発明の第１〜第４実施形態におけるオーディオシステムの概略構成を示す模式図である。図２は、スピーカ装置の要部の概略構成を示すブロック図である。図３は、電圧増幅手段の回路図である。図４は、ＬＥＤ駆動回路の回路図である。
【００１０】
〔オーディオシステムの構成〕
まず、第１実施形態のオーディオシステム１Ａの構成について説明する。
図１において、オーディオシステム１Ａは、音声データ送信手段としての再生装置２と、２個のスピーカ装置３Ａとを備えている。なお、オーディオシステム１Ａに設けるスピーカ装置３Ａの個数としては、２個に限らず１個、３個以上としてもよい。
【００１１】
再生装置２は、略箱状に形成された再生装置ケース２１と、この再生装置ケース２１の内部に収容された音声データ送信手段２２と、再生装置ケース２１の上面に突出する状態で設けられた送信アンテナＡａと、図示しない入力手段となどを備えている。
音声データ送信手段２２は、図示しない入力手段の入力操作に基づいて、図示しない記録媒体に記録された例えば楽曲などの音声データを読み出す。そして、この音声データを、送信アンテナＡａから無線を利用してスピーカ装置３Ａへ送信する。なお、音声データ送信手段２２としては、ラジオ放送やテレビ放送を受信して、その音声データを送信する構成としてもよい。
【００１２】
スピーカ装置３Ａは、再生装置２から送信される無線を受信して、この無線を利用して送信された音声データに基づく音を出力する。また、この無線の受信電界強度を報知する。そして、スピーカ装置３Ａは、スピーカ本体３１と、報知手段を構成する発光手段としての１個のＬＥＤ３２Ａと、無線強度報知制御装置３３と、受信アンテナＡｊとなどを備えている。
【００１３】
スピーカ本体３１は、長方形箱状のスピーカケース３１１と、このスピーカケース３１１の前面に形成された振動板窓３１１Ａから臨む状態で設けられた振動板３１２と、図示しないコイルと、磁性体となどを備えている。
【００１４】
受信アンテナＡｊは、例えば略棒状に形成され、スピーカケース３１１の上面に立設する状態で設けられている。この受信アンテナＡｊは、図２に示すように、無線強度報知制御装置３３に接続され、再生装置２の送信アンテナＡａからの無線を受信する。
【００１５】
ＬＥＤ３２Ａは、図１に示すように、スピーカケース３１１の前面における振動板窓３１１Ａの上方に形成された報知窓３１１Ｂから臨む状態で設けられている。このＬＥＤ３２Ａは、図２に示すように、無線強度報知制御装置３３に接続され、この無線強度報知制御装置３３の制御に基づいて光を発する。
【００１６】
無線強度報知制御装置３３は、アナログ電界強度信号出力手段としてのＲＦ受信部３３１と、報知制御手段を構成する発光制御手段３３２とを備えている。
【００１７】
ＲＦ受信部３３１は、ＲＳＳＩ（Received Signal Strength Indicator）出力を持つＩＣを含んで構成されており、受信アンテナＡｊと、発光制御手段３３２とに接続されている。このＲＦ受信部３３１は、受信アンテナＡｊで受信した無線の受信電界強度に対応するＤＣ（直流）電圧のアナログ電界強度信号を、発光制御手段３３２へ出力する。例えば、２．４ＧＨｚ帯の電波や、ＦＭ（Frequency Modulation）、ＡＭ（Amplitude Modulation）を受信した場合、その受信電界強度に対応するアナログ電界強度信号を出力する。
【００１８】
発光制御手段３３２は、ＬＥＤ３２Ａの発光状態を制御する。この発光制御手段３３２は、電圧増幅手段３３３と、定電流回路としてのＬＥＤ駆動回路３３４とを備えている。
【００１９】
電圧増幅手段３３３は、図３に示すように、増幅オペアンプ３３３Ａと、増幅第１抵抗３３３Ｂと、増幅第２抵抗３３３Ｃとを備えている。
増幅オペアンプ３３３Ａの正の入力端は、ＲＦ受信部３３１の出力端に接続され、負の入力端は、増幅第１抵抗３３３Ｂを介して接地されている。また、増幅オペアンプ３３３Ａの負の入力端及び増幅第１抵抗３３３Ｂの接続点と、増幅オペアンプ３３３Ａの出力端との間には、増幅第２抵抗３３３Ｃが接続されている。
そして、電圧増幅手段３３３は、正の入力端から入力されるＤＣ電圧のアナログ電界強度信号を増幅して、出力端から出力する。
【００２０】
ＬＥＤ駆動回路３３４は、図４に示すように、定電流回路で構成され、駆動オペアンプ３３４Ａと、駆動抵抗３３４Ｂと、トランジスタ３３４Ｃとを備えている。
駆動オペアンプ３３４Ａの正の入力端は、電圧増幅手段３３３の増幅オペアンプ３３３Ａの出力端に接続され、負の入力端は、駆動抵抗３３４Ｂを介して接地されている。また、駆動オペアンプ３３４Ａの出力端は、トランジスタ３３４Ｃのベースに接続されている。
このトランジスタ３３４Ｃのコレクタは、アノードが図示しない電力供給手段に接続されたＬＥＤ３２Ａのカソードに接続され、エミッタは、駆動オペアンプ３３４Ａの負の入力端及び駆動抵抗３３４Ｂの接続点に接続されている。
そして、ＬＥＤ駆動回路３３４は、電圧増幅手段３３３で増幅されたアナログ電界強度信号に応じて、ＬＥＤ３２Ａに流れる電流量を制御して、ＬＥＤ３２Ａの発光強度を連続的に変化させる。具体的には、アナログ電界強度信号のＤＣ電圧が高いほどＬＥＤ３２Ａに流れる電流量を多くし、ＤＣ電圧が低いほど電流量を少なくする。
【００２１】
〔オーディオシステムの動作〕
次に、オーディオシステム１Ａの動作として、スピーカ装置３Ａにおける無線の受信電界強度報知処理について説明する。
まず、スピーカ装置３Ａは、再生装置２から送信される無線を受信アンテナＡｊで受信する。そして、無線強度報知制御装置３３のＲＦ受信部３３１は、無線の受信電界強度に対応するアナログ電界強度信号を発光制御手段３３２へ出力する。この後、発光制御手段３３２は、アナログ電界強度信号を増幅して、この増幅したアナログ電界強度信号に対応して、ＬＥＤ３２Ａに流れる電流量を制御する。この電流量の制御により、ＬＥＤ３２Ａは、無線の受信電界強度に応じて、発光強度が連続的に変化する状態で発光する。
そして、利用者は、ＬＥＤ３２Ａに流れる電流量が多いほど、つまりＬＥＤ３２Ａの輝度が高いほど受信電界強度が強く、輝度が低いほど受信電界強度が弱い旨を認識することが可能となる。
【００２２】
〔第１実施形態の作用効果〕
上述したように、上記第１実施形態におけるスピーカ装置３Ａによれば、以下の効果を奏することができる。
【００２３】
（１）スピーカ装置３Ａは、再生装置２から送信される無線を受信アンテナＡｊで受信して、無線強度報知制御装置３３のＲＦ受信部３３１で無線の受信電界強度に対応するアナログ電界強度信号を発光制御手段３３２へ出力する。そして、無線強度報知制御装置３３の発光制御手段３３２は、アナログ電界強度信号に基づいて、ＬＥＤ３２Ａの動作状態を無線の受信電界強度に応じて連続的に変化する状態で制御する。
このため、ＬＥＤ３２Ａの動作状態を無線の受信電界強度に応じて連続的に変化させるので、受信電界強度の変化量が小さい場合であっても、この小さい変化に応じた状態でＬＥＤ３２Ａを動作させることができる。従って、利用者に、受信電界強度を適切に認識させることができる。
また、マイクロコンピュータ（マイコン）を利用して、受信電界強度を細かくレベル分けして、この細かいレベル分けに応じてＬＥＤ３２Ａの動作状態を制御することにより、第１実施形態と同様にＬＥＤ３２Ａの動作状態を略連続的に制御する構成が考えられるが、このような構成では、マイコンの開発期間、開発費用や部品費用などが発生し、回路が高価になるおそれがある。従って、受信電界強度を細かくレベル分けするマイコンを利用しない第１実施形態の構成により、コストの増大を招くことなく、利用者に、受信電界強度を適切に認識させることができる。
【００２４】
（２）無線強度報知制御装置３３は、無線の受信電界強度に応じて、ＬＥＤ３２Ａの発光状態を制御している。
このため、音の変化状態と比べて利用者が認識しやすい光の発光状態を制御するので、利用者に、受信電界強度をより適切に認識させることができる。
【００２５】
（３）無線強度報知制御装置３３は、無線の受信電界強度に応じて、ＬＥＤ３２Ａの発光状態として発光強度を制御している。
このため、ＬＥＤ３２Ａの明るさに基づいて、利用者に受信電界強度をより適切に認識させることができる。
【００２６】
（４）発光制御手段３３２に、定電流回路から構成されるＬＥＤ駆動回路３３４を設けている。
このため、一般的に広く利用されている定電流回路を用いることにより、発光制御手段３３２の低コスト化を容易に実現できる。
【００２７】
（５）本発明の発光手段として、ＬＥＤ３２Ａを適用している。
このため、例えば電球などと比べて耐久性が高いＬＥＤ３２Ａを用いることにより、受信電界強度を報知する構成の長寿命化を図ることができる。
【００２８】
（６）スピーカ装置３Ａに、ＬＥＤ３２Ａを１個だけ設け、この１個のＬＥＤ３２Ａの動作状態を制御している。
このため、複数のＬＥＤ３２Ａを制御する構成と比べて、無線強度報知制御装置３３の構成を簡略にできる。また、利用者は、１個のＬＥＤ３２Ａを視認するだけでよく、複数のＬＥＤ３２Ａを視認する構成と比べて、受信電界強度をより容易に認識することができる。
【００２９】
（７）無線強度報知制御装置３３を、スピーカ装置３Ａに設けている。
このため、無線強度報知制御装置３３の制御による受信電界強度の報知により、利用者にスピーカ装置３Ａの細かい設置制御をさせることができ、快適な音響空間を提供できる。
【００３０】
［第２実施形態］
次に、本発明の第２実施形態について図面に基づいて説明する。なお、第１実施形態と同一の構成については、同一名称及び同一符号を付し説明を適宜省略する。また、動作についても、第１実施形態と同様の動作については、説明を適宜省略する。
図５は、スピーカ装置の要部の概略構成を示すブロック図である。
【００３１】
〔オーディオシステムの構成〕
まず、第２実施形態のオーディオシステム１Ｂの構成について説明する。
図１において、オーディオシステム１Ｂは、再生装置２と、２個のスピーカ装置３Ｂとを備えている。
スピーカ装置３Ｂは、スピーカ本体３１と、ＬＥＤ３２Ａと、無線強度報知制御装置３４と、受信アンテナＡｊとなどを備えている。
【００３２】
無線強度報知制御装置３４は、図５に示すように、ＲＦ受信部３３１と、報知制御手段を構成する発光制御手段３４１とを備えている。
発光制御手段３４１は、電圧増幅手段３３３と、電圧周波数変換回路３４２と、ＬＥＤ駆動回路３４３とを備えている。
【００３３】
電圧周波数変換回路３４２は、電圧増幅手段３３３と、ＬＥＤ駆動回路３４３とに接続されている。この電圧周波数変換回路３４２は、電圧増幅手段３３３で増幅されたアナログ電界強度信号のＤＣ電圧を周波数に変換する。具体的には、ＤＣ電圧が高いほど高い周波数に変換し、低いほど低い周波数に変換する。そして、この変換した周波数に対応する変換周波数信号をＬＥＤ駆動回路３４３へ出力する。この電圧周波数変換回路３４２としては、オペアンプなどを利用したり、専用のＩＣを利用したりすることができる。
【００３４】
ＬＥＤ駆動回路３４３は、ＬＥＤ３２Ａに接続されている。このＬＥＤ駆動回路３４３は、電圧周波数変換回路３４２からの変換周波数信号の周波数に対応する点滅間隔でＬＥＤ３２Ａを点滅させる。つまり、周波数が高いほど点滅速度を速くして点滅間隔を短くし、低いほど点滅速度を遅くして点滅間隔を長くする。
【００３５】
〔オーディオシステムの動作〕
次に、オーディオシステム１Ｂの動作として、スピーカ装置３Ｂにおける無線の受信電界強度報知処理について説明する。
無線強度報知制御装置３４の発光制御手段３４１は、再生装置２からの無線の受信電界強度に対応するアナログ電界強度信号のＤＣ電圧を周波数に変換して、この周波数に対応する点滅間隔でＬＥＤ３２Ａを点滅させる。
そして、利用者は、ＬＥＤ３２Ａの点滅間隔が短いほど受信電界強度が強く、点滅間隔が長いほど受信電界強度が弱い旨を認識することが可能となる。
【００３６】
〔第２実施形態の作用効果〕
上述したように、上記第２実施形態におけるスピーカ装置３Ｂによれば、第１実施形態の（１）、（２）、（５）〜（７）と同様の効果に加え、以下の効果を奏することができる。
【００３７】
（８）無線強度報知制御装置３４は、無線の受信電界強度に応じて、ＬＥＤ３２Ａの発光状態として点滅間隔を制御している。
このため、ＬＥＤ３２Ａの明るさよりも一般的に変化状態を認識しやすい点滅間隔を、受信電界強度に応じて制御することにより、利用者に受信電界強度をさらに適切に認識させることができる。
【００３８】
［第３実施形態］
次に、本発明の第３実施形態について図面に基づいて説明する。この第３実施形態では、第１，第２実施形態で光を利用して受信電界強度を報知するのに対し、音を利用して受信電界強度を報知する構成を例示する。なお、第１，第２実施形態と同一の構成については、同一名称及び同一符号を付し説明を適宜省略する。また、動作についても、第１，第２実施形態と同様の動作については、説明を適宜省略する。
図６は、スピーカ装置の要部の概略構成を示すブロック図である。
【００３９】
〔オーディオシステムの構成〕
まず、第３実施形態のオーディオシステム１Ｃの構成について説明する。
図１において、オーディオシステム１Ｃは、再生装置２と、２個のスピーカ装置３Ｃとを備えている。
スピーカ装置３Ｃは、スピーカ本体３１と、報知手段を構成する発音手段としてのブザー３２Ｂと、無線強度報知制御装置３５と、受信アンテナＡｊとなどを備えている。
ブザー３２Ｂは、スピーカケース３１１の報知窓３１１Ｂから臨む状態で設けられている。このブザー３２Ｂは、図６に示すように、無線強度報知制御装置３５に接続され、この無線強度報知制御装置３５の制御に基づいて、固定周波数のブザー音を発する。
【００４０】
無線強度報知制御装置３５は、ＲＦ受信部３３１と、報知制御手段を構成する発音制御手段３５１とを備えている。
発音制御手段３５１は、電圧増幅手段３３３と、電圧周波数変換回路３４２と、ブザー制御手段３５２とを備えている。
【００４１】
ブザー制御手段３５２は、スイッチ手段３５２Ａと、ブザー電力供給手段３５２Ｂとを備えている。
スイッチ手段３５２Ａは、電圧周波数変換回路３４２と、ブザー３２Ｂと、ブザー電力供給手段３５２Ｂとに接続されている。このスイッチ手段３５２Ａは、電圧周波数変換回路３４２から変換周波数信号が入力されると、この変換周波数信号の周波数に対応する間隔でブザー電力供給手段３５２Ｂ及びブザー３２Ｂを電気的に接続、すなわちブザー３２Ｂをオンオフする。つまり、周波数が高いほどブザー３２Ｂのオンオフ速度を速くして発音間隔を短くし、周波数が低いほどブザー３２Ｂのオンオフ速度を遅くして発音間隔を長くする。
【００４２】
〔オーディオシステムの動作〕
次に、オーディオシステム１Ｃの動作として、スピーカ装置３Ｃにおける無線の受信電界強度報知処理について説明する。
無線強度報知制御装置３５の発音制御手段３５１は、再生装置２からの無線の受信電界強度に対応するアナログ電界強度信号のＤＣ電圧を周波数に変換して、この周波数に対応する間隔でブザー３２Ｂをオンオフする。
そして、利用者は、例えば「ピピピ」と発音された場合などのブザー３２Ｂの発音間隔が短いほど受信電界強度が強く、「ピ・・・ピ・・・ピ」と発音された場合などの発音間隔が長いほど受信電界強度が弱い旨を認識することが可能となる。
【００４３】
〔第３実施形態の作用効果〕
上述したように、上記第３実施形態におけるスピーカ装置３Ｃによれば、第１実施形態の（７）と同様の効果に加え、以下の効果を奏することができる。
【００４４】
（９）スピーカ装置３Ｃは、再生装置２から送信される無線を受信アンテナＡｊで受信して、無線強度報知制御装置３５のＲＦ受信部３３１で無線の受信電界強度に対応するアナログ電界強度信号を発音制御手段３５１へ出力する。そして、無線強度報知制御装置３５の発音制御手段３５１は、アナログ電界強度信号に基づいて、ブザー３２Ｂの動作状態を無線の受信電界強度に応じて連続的に変化する状態で制御する。
このため、ブザー３２Ｂの動作状態を無線の受信電界強度に応じて連続的に変化させるので、受信電界強度の変化量が小さい場合であっても、この小さい変化に応じた状態でブザー３２Ｂを動作させることができる。従って、利用者に、受信電界強度を適切に認識させることができる。
また、マイコンを利用して、受信電界強度を細かくレベル分けして、この細かいレベル分けに応じてブザー３２Ｂの動作状態を制御する構成と比べて、第１，第２実施形態と同様の理由により、コストの増大を招くことなく、利用者に、受信電界強度を適切に認識させることができる。
【００４５】
（１０）無線強度報知制御装置３５は、無線の受信電界強度に応じて、ブザー３２Ｂの発音状態を制御している。
このため、例えば利用者にスピーカ装置３Ｃを視線させることなく、受信電界強度を認識させることができ、スピーカ装置３Ｃの設置制御を容易に実施させることができる。
【００４６】
（１１）無線強度報知制御装置３５は、無線の受信電界強度に応じて、ブザー３２Ｂの発音状態として発音間隔を制御している。
このため、ブザー３２Ｂの音の周波数よりも一般的に変化状態を認識しやすい発音間隔を、受信電界強度に応じて制御することにより、利用者に受信電界強度をさらに適切に認識させることができる。
【００４７】
［第４実施形態］
次に、本発明の第４実施形態について図面に基づいて説明する。なお、第１〜第３実施形態と同一の構成については、同一名称及び同一符号を付し説明を適宜省略する。また、動作についても、第１〜第３実施形態と同様の動作については、説明を適宜省略する。
図７は、スピーカ装置の要部の概略構成を示すブロック図である。
【００４８】
〔オーディオシステムの構成〕
まず、第４実施形態のオーディオシステム１Ｄの構成について説明する。
図１において、オーディオシステム１Ｄは、再生装置２と、２個のスピーカ装置３Ｄとを備えている。
スピーカ装置３Ｄは、スピーカ本体３１と、報知手段を構成する発音手段としての報知スピーカ３２Ｃと、無線強度報知制御装置３６と、受信アンテナＡｊとなどを備えている。
報知スピーカ３２Ｃは、スピーカケース３１１の報知窓３１１Ｂから臨む状態で設けられている。この報知スピーカ３２Ｃは、図７に示すように、無線強度報知制御装置３６に接続され、この無線強度報知制御装置３６の制御に基づいて、音を発する。なお、この報知スピーカ３２Ｃから音を出力させる代わりに、振動板３１２を振動させて、無線強度報知制御装置３６の制御に基づく音を発せさせる構成としてもよい。
【００４９】
無線強度報知制御装置３６は、ＲＦ受信部３３１と、報知制御手段を構成する発音制御手段３６１とを備えている。
発音制御手段３６１は、電圧増幅手段３３３と、電圧周波数変換回路３４２と、発音制御アンプ３６２とを備えている。
【００５０】
発音制御アンプ３６２は、電圧周波数変換回路３４２と、報知スピーカ３２Ｃとに接続されている。この発音制御アンプ３６２は、電圧周波数変換回路３４２から変換周波数信号が入力されると、この変換周波数信号を増幅して、変換周波数信号に対応する周波数の音を報知スピーカ３２Ｃで発せさせる。つまり、周波数が高いほど報知スピーカ３２Ｃから音程が高い音を出力させ、周波数が低いほど音程が低い音を出力させる。
【００５１】
〔オーディオシステムの動作〕
次に、オーディオシステム１Ｄの動作として、スピーカ装置３Ｄにおける無線の受信電界強度報知処理について説明する。
無線強度報知制御装置３６の発音制御手段３６１は、再生装置２からの無線の受信電界強度に対応するアナログ電界強度信号のＤＣ電圧を周波数に変換して、この周波数の音を報知スピーカ３２Ｃから出力させる。
そして、利用者は、報知スピーカ３２Ｃからの音の音程が高いほど受信電界強度が強く、音程が低いほど受信電界強度が弱い旨を認識することが可能となる。
【００５２】
〔第４実施形態の作用効果〕
上述したように、上記第４実施形態におけるスピーカ装置３Ｄによれば、第１実施形態の（７）、第３実施形態の（９）、（１０）と同様の効果に加え、以下の効果を奏することができる。
【００５３】
（１２）無線強度報知制御装置３６は、無線の受信電界強度に応じて、報知スピーカ３２Ｃの発音状態として音の周波数を制御している。
このため、報知スピーカ３２Ｃから出力される音の周波数を受信電界強度に応じて制御することにより、同じ周波数の音の発音間隔を制御する構成と比べて、利用者に、直感的に受信電界強度の変化を認識させることができる。
【００５４】
［実施形態の変形］
なお、本発明は前述の実施形態に限定されるものではなく、本発明の目的を達成できる範囲での変形、改良等は本発明に含まれるものである。
【００５５】
例えば、ＬＥＤ３２Ａの代わりに、電球、蛍光灯などの光を発する構成を適用してもよい。
【００５６】
また、スピーカ装置３Ａ，３Ｂ，３Ｃ，３Ｄに、１個のＬＥＤ３２Ａ、ブザー３２Ｂ、報知スピーカ３２Ｃを設けたが、複数設けて、これらの動作状態を制御してもよい。
さらに、ＬＥＤ３２Ａ、ブザー３２Ｂ、報知スピーカ３２Ｃを、スピーカ本体３１から離れた位置に設けてもよい。
【００５７】
そして、本発明の報知手段として、バイブレータなどの振動する振動手段を用い、この振動手段の振動状態を受信電界強度に応じて制御してもよい。
【００５８】
また、無線強度報知制御装置３３，３４，３５，３６を、コードレス電話、携帯電話、テレビジョン、無線を利用したネットワークなど、無線を利用した構成の受信電界強度を報知する構成に適用してもよい。
【００５９】
その他、本発明の実施の際の具体的な構造及び手順は、本発明の目的を達成できる範囲で他の構造などに適宜変更できる。
【００６０】
［実施形態の作用効果］
上述したように、前記実施形態では、スピーカ装置３Ａは、再生装置２から送信される無線を受信アンテナＡｊで受信して、無線強度報知制御装置３３のＲＦ受信部３３１で無線の受信電界強度に対応するアナログ電界強度信号を発光制御手段３３２へ出力する。そして、発光制御手段３３２は、アナログ電界強度信号に基づいて、ＬＥＤ３２Ａの動作状態を無線の受信電界強度に応じて連続的に変化する状態で制御する。
このため、ＬＥＤ３２Ａの動作状態を無線の受信電界強度に応じて連続的に変化させるので、受信電界強度の変化量が小さい場合であっても、この小さい変化に応じた状態でＬＥＤ３２Ａを動作させることができる。従って、利用者に、受信電界強度を適切に認識させることができる。
また、無線強度報知制御装置３３をスピーカ装置３Ａに設けているので、無線強度報知制御装置３３の制御による受信電界強度の報知により、利用者にスピーカ装置３Ａの細かい設置制御をさせることができ、快適な音響空間を提供できる。
【図面の簡単な説明】
【００６１】
【図１】本発明の第１〜第４実施形態におけるオーディオシステムの概略構成を示す模式図である。
【図２】前記第１実施形態におけるスピーカ装置の要部の概略構成を示すブロック図である。
【図３】前記第１〜第４実施形態における電圧増幅手段の回路図である。
【図４】前記第１実施形態におけるＬＥＤ駆動回路の回路図である。
【図５】前記第２実施形態におけるスピーカ装置の要部の概略構成を示すブロック図である。
【図６】前記第３実施形態におけるスピーカ装置の要部の概略構成を示すブロック図である。
【図７】前記第４実施形態におけるスピーカ装置の要部の概略構成を示すブロック図である。
【符号の説明】
【００６２】
２…音声データ送信手段としての再生装置
３Ａ，３Ｂ，３Ｃ，３Ｄ…スピーカ装置
３１…スピーカ本体
３２Ａ…報知手段を構成する発光手段としてのＬＥＤ
３２Ｂ…報知手段を構成する発音手段としてのブザー
３２Ｃ…報知手段を構成する発音手段としての報知スピーカ
３３，３４，３５，３６…無線強度報知制御装置
３１２…振動板
３３１…アナログ電界強度信号出力手段としてのＲＦ受信部
３３２，３４１…報知制御手段としての発光制御手段
３３４…定電流回路としてのＬＥＤ駆動回路
３５１，３６１…報知制御手段を構成する発音制御手段
Ａｊ…受信アンテナ
【図１】
2008131142.tif 000003
【図２】
2008131142.tif 000004
【図３】
2008131142.tif 000005
【図４】
2008131142.tif 000006
【図５】
2008131142.tif 000007
【図６】
2008131142.tif 000008
【図７】
2008131142.tif 000009